(57)【特許請求の範囲】
【請求項１】
頂壁(2)から筒壁(4)を垂下した筒体であり、かつこの筒体の内部に計量目盛(8)を設けた計量キャップにおいて、
上記筒壁(4)の内側に、筒壁(4)乃至頂壁(2)の一部であって、残りの頂壁部分(2a) よりも垂直方向内方に位置しかつ相互に形状又は筒壁(4)に対する配置を相違するように形成した複数の計量面(S)を設け、これら計量面(S)又は計量面の近傍にそれぞれ計量目盛(8)を表示しており、
上記計量面(S)のうち一方の計量面は、筒壁(4)から離して頂壁(2)の一部を垂直方向内方に突設してなる第１柱状突起(10A)の先端面で形成する第１計量面(S１)であり、
他方の計量面は、筒壁(4)と連続させて筒壁(4)付近の頂壁(2)部分を垂直方向内方へ突設してなる第２柱状突起(10B)の先端面で形成する第２計量面(S２)であることを特徴とする、計量キャップ。
【請求項２】
上記筒壁(4)は、その基筒部(4a)から段差(6)を介して大径の先筒部(4b)を突出してなり、
筒壁(4)の段差(6)の内表面で形成した第３計量面(S３)を含むことを特徴とする、請求項１記載の計量キャップ。
【発明の詳細な説明】
【技術分野】
【０００１】
本発明は、計量キャップ、特に容器体の口頸部に適用可能な計量キャップに関する。
【背景技術】
【０００２】
筒壁の内部に水平な目盛線を設けた計量キャップが知られている（特許文献１）。
【先行技術文献】
【特許文献】
【０００３】
【特許文献１】実開昭64−53061
【発明の概要】
【発明が解決しようとする課題】
【０００４】
特許文献１では垂直な筒壁内面に目盛線を設けたので、例えば薄暗い場所では真上から見て目盛線が見えにくいことがある。特に目盛線が複数存在する場合に、それら複数の線がぼんやりとしか見えず、所要の量に対応する目盛線を判別しにくいこともある。
【０００５】
本発明の目的は、使用の毎に計量目盛を読まずに計量面の高さを認識することができ、分量することができる計量キャップを提案することである。
【課題を解決するための手段】
【０００６】
第１の手段は、頂壁2から筒壁4を垂下した筒体であり、かつこの筒体の内部に計量目盛8を設けた計量キャップにおいて、
上記筒壁4の内側に、筒壁4乃至頂壁2の一部であって、残りの頂壁部分2a よりも垂直方向内方に位置しかつ相互に形状又は筒壁4に対する配置を相違するように形成した複数の計量面Sを設け、これら計量面S又は計量面の近傍にそれぞれ計量目盛8を表示しており、
上記計量面Sのうち一方の計量面は、筒壁4から離して頂壁2の一部を垂直方向内方に突設してなる第１柱状突起10Aの先端面で形成する第１計量面S１であり、
他方の計量面は、筒壁4と連続させて筒壁4付近の頂壁2部分を垂直方向内方へ突設してなる第２柱状突起10Bの先端面で形成する第２計量面S２である。
【０００７】
本手段では、図１に示す如く計量キャップの内側に、相互に形状乃至配置を相互に相違する複数の計量面Ｓを設けている。使用毎に計量目盛８を読まなくても、形状又は配置の相違を手掛かりとして各計量面Ｓを識別して所要の被計量物を計量することができる。
【０００９】
また本手段では、図２に示すように計量面Ｓの態様として、筒壁４から離れたものと、筒壁４に連続したものとを提案している。
【００１１】
また本手段は、上記第１計量面の他に、筒壁４と連続した計量面を提案する。複数の量を計量するためには複数の計量面が必要だからである。すなわち、本手段では図１の如く筒壁４付近の頂壁部分を垂直方向内方に突設させてなる第２柱状突起10Ｂの先端面で形成する第２計量面Ｓ２を設け、当該第２計量面に計量目盛８を設けている。
【００１２】
第２の手段は、第１の手段を有し、かつ上記筒壁4は、その基筒部4aから段差6を介して大径の先筒部4bを突出してなり、筒壁4の段差6の内表面で形成した第３計量面S３を含む。
本手段では、さらに筒壁４と連続した別の計量面（第３計量面S３）を提案する。
【発明の効果】
【００１３】
第１の手段に係る発明によれば、複数の計量面Ｓをその形状又は筒壁４に対する配置の相違から識別でき、使用毎に計量目盛８を読まなくてもよいから便利である。
また第１の手段に係る発明によれば、筒壁４から離した計量面Ｓ１と、筒壁４に連続形成した計量面Ｓ２を設けたから、両者の識別がさらに容易となる。
第１、第２の手段によれば、計量面Ｓ２,Ｓ３を、筒壁４に連続する第２柱状突起10Ｂの先端面又は筒壁４の段差６の内表面としたから、目盛の表示場所の候補が増える。
【図面の簡単な説明】
【００１４】
【図１】本発明の実施形態に係る計量キャップを上下反転させて示す縦断面図である。
【図２】図１の計量キャップの底面図である。
【図３】図１の計量キャップを反転させて斜め上方から見た斜視図である。
【図４】図１の計量キャップの実施例である。
【発明を実施するための最良の形態】
【００１５】
図１から図３は、本発明の第１の実施形態に係る計量キャップ１を示している。この計量キャップ１は合成樹脂で形成することができる。
【００１６】
計量キャップ１は、頂壁２と、頂壁２の外周から垂直方向に突出（図１の状態では垂下）させた筒壁４とを有しており、図１の状態から反転させ（図３参照）、筒壁４の先端の開口部５から被計量物を注ぎ込むことが可能に形成している。また図示の筒壁４は、基筒部４aから外向きフランジ状の段差６を介して大径の先筒部４ｂを連続形成している。さらに図示例では、この先筒部４ｂの内面にネジ部を形成している。なお、図示の外向きフランジ状の段差６に代えて、筒壁４の先筒部４ｂを基筒部４aより肉薄の大内径部として両者の間に段差６を形成してもよい。
【００１７】
本実施形態では、リング状の段差６の内表面（被計量物と接する側の面をいう）を後述の第３計量面Ｓ３としており、図２に示す如くその周方向の一部に計量目盛８を設ける。その段差６が巾狭のときには第３計量面Ｓ３の近傍に計量目盛８を設けても構わない。計量面についてはさらに後述する。
【００１８】
また本実施形態では上記頂壁２から垂直方向内方に突出（図１の状態では垂下）させた第１柱状突起10Ａと第２柱状突起10Ｂとを形成している。これら両突起は上記筒壁４の基筒部４ａよりも短くすることが望ましい。
【００１９】
上記第１柱状突起10Ａは、筒壁４から離れた頂壁２の一部を垂直方向内方へ突設させて図１に示す状態で残りの頂壁部分２ａより低く設ける。図示の第１柱状突起10Ａは、材料節減のために中空としているが、中実にしても構わない。さらに図示例では第１柱状突起10Ａを上下方向に亘って一定の径の直筒形にしている。
【００２０】
上記第２柱状突起10Ｂは、筒壁４の基筒部４ａと連続している。図示の第２柱状突起10Ｂは、筒壁４の基筒部４ａ及び頂壁２の隣接部分を計量キャップ内方へ膨出させることで中空に形成している。もっとも第２柱状突起10Ｂも中実な肉厚部に形成しても構わない。
【００２１】
第１柱状突起10Ａ及び第２柱状突起10Ｂは、相互に離して配置するとよい。図３に示す状態で利用者が斜め上から見たときに、後述の計量目盛８が相互の陰に入らないようにするためである。好適な図示例では、計量キャップ１の水平方向の一半部に第２柱状突起10Ｂを、また他半部に第１柱状突起10Ａをそれぞれ設けている。
【００２２】
また図示例では、第１柱状突起10Ａを長く、第２柱状突起10Ｂを短くしているが、その反対に前者が短く、後者が長くてもよい。なお「柱状」という言葉は上下方向に延びるという程度の意味であり、柱状突起の上下方向長さが径より大きいことは発明の必須要件ではない。
【００２３】
本発明では、第１柱状突起10Ａの先端面を第１計量面Ｓ１、第２柱状突起10Ｂの先端面を第２計量面Ｓ２、及び段差６の内表面を第３計量面Ｓ３としており、それぞれ計量目盛８を表示させている。図示例では具体的数値を表示しているが、文字や分量を表す記号を採用してもよい。なお、「計量面」とは各計量目盛８に対応する所定の高さに位置する面である。
【００２４】
本発明においては、各計量面Ｓ１,Ｓ２,Ｓ３の形状及び筒壁４に対する配置が異なっており、利用者は一度計量目盛８を読んで所要量の計量目盛８が表示された計量面の場所を覚えたら、次からはその計量面の形状及び場所を手掛かりに分量を行うことができる。従って使用の度に計量目盛８を読まなくてよいので、使い勝手がよい。特に計量場所が暗いときや計量目盛である文字が小さいときに便利である。
【００２５】
上記計量面Ｓ１,Ｓ２,Ｓ３の形状の態様としては、図示例では、第１柱状突起10Ａのそれを円形、第２柱状突起10Ｂのそれを三角形、段部６のそれをリング状としている。これらの形状は適宜変更することができる。
【００２６】
上記計量面Ｓ１,Ｓ２,Ｓ３の筒壁４に対する配置の態様としては、第１柱状突起10Ａのそれは筒壁４からは離れており、第２柱状突起10Ｂのそれは筒壁４に隣接しており、段部６のそれは筒壁４に含まれている。これらの構造は適宜変更することができる。例えば２本の第１柱状突起10Ａを、頂壁２の中心部と外周部とにそれぞれ設けても構わない。
【００２７】
本実施形態の各計量面Ｓ１,Ｓ２,Ｓ３は、形状及び筒壁４に対する配置を相互に相違しているが、形状又は筒壁４に対する配置の一方が相違すれば足りる。
【００２８】
例えば第１柱状突起10Ａ及び第２柱状突起10Ｂは、計量キャップ１の開口部５側から見た形状が同一であり、筒壁４に対する配置の相違だけで両者を区別するようにしても良い。また、例えば複数の第１柱状突起10Ａ（或いは第２柱状突起10Ｂ）のみを設け、その形状を円形・多角形の如く変化させるようにしてもよい。
【００２９】
図４は、本発明を容器体40の口頸部42に適用した実施例である。具体的には計量キャップ１を図１の状態から反転して、筒壁４の先筒部４ｂを口頸部42に螺着させている。
【００３０】
上記構成において、図４の状態から計量キャップ１を外して、筒壁４の開口部を上にして被計量物を流し込む。被計量物が第１柱状突起10Ａ・第２柱状突起10Ｂ・段差６のいずれかの計量面Ｓ１、Ｓ２、Ｓ３まで達することを目視することで、計量作業が可能となる。
【符号の説明】
【００３１】
１…計量キャップ  ２…頂壁  ２ａ…残りの頂壁部分
４…筒壁  ４ａ…基筒部  ４ｂ…先筒部  ５…開口部
６…段差  ８…計量目盛  10Ａ…第1柱状突起  10Ｂ…第２柱状突起
40…容器体  42…口頸部  Ｓ…計量面  Ｓ１…第１計量面
Ｓ２…第２計量面  Ｓ３…第３計量面
【図１】
0005704649.tif 000002
【図２】
0005704649.tif 000003
【図３】
0005704649.tif 000004
【図４】
0005704649.tif 000005